(57)【要約】【課題】            カートリッジ内の薬剤含浸体に遠心力が作用する状況下にて常温で薬剤を揮散させる薬剤揮散用器具を提供する。【解決手段】        粒状若しくは略粒状の薬剤含浸体１を内部に収納し、側面に通気部を有するカートリッジ２を設け、前記薬剤含浸体１中の薬剤を遠心力に基づいて揮散させるために前記カートリッジ２に対する回転機構を備えたことにより、火傷の心配を伴わずに、また長期間にわたってほぼ一定量の薬剤を安定して揮散することができ、かつ屋内、屋外をとわず、広範囲の場所にて使用することができる薬剤揮散用器具。【選択図】          図７
2004222725.tif 000002
【特許請求の範囲】
【請求項１】
粒状若しくは略粒状の薬剤含浸体を内部に収納し、側面に通気部を有するカートリッジを設け、前記薬剤含浸体中の薬剤を遠心力に基づいて揮散させるために前記カートリッジに対する回転機構を備えたことによる薬剤揮散用器具。
【請求項２】
前記薬剤含浸体が、前記カートリッジ内に空隙率２０％〜７０％で充填されていることを特徴とする請求項１記載の薬剤揮散用器具。
【請求項３】
前記カートリッジの空気流出側及び／又は空気流入側にシロッコファンを装着することを特徴とする請求項１記載の薬剤揮散用器具。
【請求項４】
前記カートリッジの形状が環状であり、且つ前記カートリッジを前記シロッコファンの空気流出側に装着することを特徴とする請求項３記載の薬剤揮散用器具。
【請求項５】
前記カートリッジの形状が円板状であり、且つ前記カートリッジを前記シロッコファンの空気流入側に装着することを特徴とする請求項３記載の薬剤揮散用器具。
【請求項６】
前記薬剤が、以下の群：２，３，５，６−テトラフルオロベンジル−クリサンテマート（化合物Ａ）、２，３，５，６−テトラフルオロベンジル−２，２−ジメチル−３−（１−プロペニル）シクロプロパンカルボキシレート（化合物Ｂ）、２，３，５，６−テトラフルオロベンジル−２，２−ジメチル−３−（２，２−ジクロロビニル）シクロプロパンカルボキシレート（化合物Ｃ）、４−メチル−２，３，５，６−テトラフルオロベンジル−クリサンテマート（化合物Ｄ）、４−メチル−２，３，５，６−テトラフルオロベンジル−２，２−ジメチル−３−（１−プロペニル）シクロプロパンカルボキシレート（化合
物Ｅ）、４−メチル−２，３，５，６−テトラフルオロベンジル−２，２−ジメチル−３−（２，２−ジフルオロビニル）シクロプロパンカルボキシレート（化合物Ｆ）、４−メトキシメチル−２，３，５，６−テトラフルオロベンジル−クリサンテマート（化合物Ｇ）、４−メトキシメチル−２，３，５，６−テトラフルオロベンジル−２，２−ジメチル−３−（１−プロペニル）シクロプロパンカルボキシレート（化合物Ｈ）、２，３，４，５，６−ペンタフルオロベンジル−２，２−ジメチルー３−（２−クロロー２−トリフルオロメチルビニル）シクロプロパンカルボキシレート（化合物Ｉ）、４−プロパルギル−２，３，５，６−テトラフルオロベンジル−３−（１−プロペニル）−２，２−ジメチルシクロプロパンカルボキシレート（化合物Ｊ）、４−メトキシメチル−２，３，５，６−
テトラフルオロベンジル−２，２，３，３−テトラメチルシクロプロパンカルボキシレート（化合物Ｋ）及び４−プロパルギル−２，３，５，６−テトラフルオロベンジル−２，２，３，３−テトラメチルシクロプロパンカルボキシレート（化合物Ｌ）から選択された少なくとも一種の化合物からなることを特徴とする請求項１記載の薬剤揮散用器具。
【請求項７】
前記粒状若しくは略粒状の薬剤含浸体が、紙、パルプ、セルロース系担体及び合成樹脂担体から選択された少なくとも一種からなることを特徴とする請求項１記載の薬剤揮散用器具。
【発明の詳細な説明】
【技術分野】
【０００１】
本発明は、取り替え可能なカートリッジに収納した粒状若しくは略粒状の薬剤含浸体に遠心力を付与し且つこの際生じる風力を利用することにより、常温で薬剤を揮散させる薬剤揮散用器具に関するものである。更に詳しくは、本発明は、例えば前記カートリッジをシロッコファンの空気流出側及び／又は空気流入側に装着し、前記カートリッジをモーターで回転させることにより前記薬剤含浸体に遠心力を付与し、前記薬剤含浸体から一定の揮散速度で長時間連続して薬剤を揮散させることができる薬剤揮散用器具に関するものである。
【背景技術】
【０００２】
害虫、例えば蚊や蚋などを駆除するために、薬剤を閉鎖空間（例えば建築物や自動車の室内、アウトドアスポーツにおけるテント内）全体に揮散・放出させる薬剤揮散用器具としては、熱エネルギーを利用した蚊取線香や電気蚊取マット、液体式電気蚊取（リキッド）が一般的であるが、常温でファン等の風力を利用して薬剤を揮散・放出させることも試みられている。
火や電源コンセントからの電気を使用する薬剤揮散用器具は、安全性や電源の確保の点で使用することが困難な場合がある。例えば、テント内にて使用する場合には、常温で薬剤を揮散・放出させる方法を使用することが好ましく、この場合、薬剤の揮散にファン等の風力を利用すれば、そのまま薬剤（又は薬剤含浸体）を放置する場合に比べて、薬剤の揮散効率を非常に高めることができる。
【０００３】
常温で薬剤を揮散・放出させるための器具としては、従来、多くの方法が提案されている。例えば、実開昭６１−１８２２７３号には、薬剤を保持し且つ適度な通気性を有する含浸体をファンの周囲に設置し、これにファンからの風をあてるように構成した器具が開示されている。また、特開平１０−１９１８６２号には、粒状にした薬剤含浸体を含浸体容器に入れ、これにファンからの風をあててこの薬剤含浸体を風力により攪拌しながら、薬剤を揮散させるための器具が開示されている。
更に、特開平５−６８４５９号には、揮散性薬剤を保持した拡散用材を回転させることにより、揮散性薬剤を気中に拡散させる揮散性薬剤の拡散用器具が開示されている。
【特許文献１】実開昭６１−１８２２７３号
【特許文献２】特開平５−６８４５９号
【特許文献３】特開平１０−１９１８６２号
【発明の開示】
【発明が解決しようとする課題】
【０００４】
しかしながら、実開昭６１−１８２２７３号の器具や特開平１０−１９１８６２号の方法で用いられる器具においては、薬剤含浸体は、静止した収納容器に収納されている。特開平１０−１９１８６２号に開示された器具では、ファンからの風を薬剤含浸体である粒状物にあてて風力により該粒状物を攪拌することが試みられているが、小型ファンの風力は大きなものではなく、それにより前記粒状物全体を充分に攪拌することは困難である。それ故、特開平１０−１９１８６２号の器具では、薬剤含浸体である粒状物から長期間にわたり一定揮散量で薬剤を揮散させることが難しく、経時的に揮散薬量が減少することは避けられない。
一方、特開平５−６８４５９号に開示された器具では、ガス透過性フィルムからなる膜部を有する袋又は容器或いは通気しうる微小孔を有する袋又は容器に揮散性薬剤を封入してなる拡散用材を採用しており、揮散性薬剤全体から効率良く薬剤を揮散させることが難しく、経時的に揮散薬量が減少することは避けられない。それ故、この器具で、１０日間以上の長期間にわたり安定した揮散薬量を保持することは困難である。
【０００５】
本発明は前記従来技術の問題点を解決するためのものであり、その目的とするところは、野外においても適用可能であり、長期間にわたってほぼ一定量の薬剤を安定して揮散することができ、従来に無い優れた殺虫効力を保持し、安全性が高く、使用性が良い等、多くの利点を有する薬剤揮散用器具を提供することにある。
【課題を解決するための手段】
【０００６】
本発明者らは、前記従来技術の問題点を解決するため鋭意研究した結果、薬剤を揮散させるにあたり、粒状若しくは略粒状の薬剤含浸体に遠心力を付与することにより、長期間にわたり安定した揮散性能を奏し得ることを知見し、本発明を完成するに至った。
すなわち、本発明の薬剤揮散用器具は、粒状若しくは略粒状の薬剤含浸体を内部に収納し、側面に通気部を有するカートリッジを設け、前記薬剤含浸体中の薬剤を遠心力に基づいて揮散させるために前記カートリッジに対する回転機構を備えたことによる薬剤揮散用器具であることを基本的要件としている〔以下、ｉ)と称する〕。
以下の発明の器具は、特に好ましい。
ii）前記薬剤含浸体が、前記カートリッジ内に空隙率２０％〜７０％で充填されていることを特徴とするｉ）の薬剤揮散用器具。
iii)前記カートリッジの空気流出側及び／又は空気流入側にシロッコファン（多数の送風用の羽根）を装着することを特徴とするｉ）の薬剤揮散用器具。
iv）前記カートリッジの形状が環状であり、且つ前記カートリッジを前記シロッコファンの空気流出側に装着することを特徴とするiii)の薬剤揮散用器具。
v）前記カートリッジの形状が円板状であり、且つ前記カートリッジを前記シロッコファンの空気流入側に装着することを特徴とするiii）の薬剤揮散用器具。
vi）前記薬剤が、以下の群：２，３，５，６−テトラフルオロベンジル−クリサンテマート（化合物Ａ）、２，３，５，６−テトラフルオロベンジル−２，２−ジメチルー３−（１−プロペニル）シクロプロパンカルボキシレート（化合物Ｂ）、２，３，５，６−テトラフルオロベンジル−２，２−ジメチル−３−（２，２−ジクロロビニル）シクロプロパンカルボキシレート（化合物Ｃ）、４−メチル−２，３，５，６−テトラフルオロベンジル−クリサンテマート（化合物Ｄ）、４−メチル−２，３，５，６−テトラフルオロベンジル−２，２−ジメチル−３−（１−プロペニル）シクロプロパンカルボキシレート（化合物Ｅ）、４−メチル−２，３，５，６−テトラフルオロベンジル−２，２−ジメチル−３−（２，２−ジフルオロビニル）シクロプロパンカルボキシレート（化合物Ｆ）、４−
メトキシメチル−２，３，５，６−テトラフルオロベンジル−クリサンテマート（化合物Ｇ）、４−メトキシメチル−２，３，５，６−テトラフルオロベンジル−２，２−ジメチル−３−（１−プロペニル）シクロプロパンカルボキシレート（化合物Ｈ）、２，３，４，５，６−ペンタフルオロベンジル−２，２−ジメチルー３−（２−クロロー２−トリフルオロメチルビニル）シクロプロパンカルボキシレート（化合物Ｉ）、４−プロパルギル−２，３，５，６−テトラフルオロベンジル−３−（１−プロペニル）−２，２−ジメチルシクロプロパンカルボキシレート（化合物Ｊ）、４−メトキシメチル−２，３，５，６−テトラフルオロベンジル−２，２，３，３−テトラメチルシクロプロパンカルボキシレート（化合物Ｋ）及び４−プロパルギル−２，３，５，６−テトラフルオロベンジル−２
，２，３，３−テトラメチルシクロプロパンカルボキシレート（化合物Ｌ）からなることを特徴とするｉ）の薬剤揮散用器具。
vii）前記粒状若しくは略粒状の薬剤含浸体が、紙、パルプ、セルロース系担体及び合成樹脂担体から選択された少なくとも一種からなることを特徴とするｉ）の薬剤揮散用器具。
【発明の効果】
【０００７】
本発明の薬剤揮散用器具は、非加熱で粒状若しくは略粒状の薬剤含浸体に遠心力を付与し且つその際生じる風力により薬剤を揮散・放出させる方式なので使用に際して火傷の心配がなく、また長期間にわたってほぼ一定量の薬剤を安定して揮散することができ、従来に無い優れた殺虫効力を保持し、しかも安全性、使用性等にも優れているため、蚊、ハエ等の衛生害虫、ブユ、ユスリカ、イガ、コイガ、カツオブシムシ等の不快害虫、特に蚊の防除用途に極めて有用である。
しかも、乾電池で作動する小型・軽量な状態にて使用し得るように設計可能であることから、屋内や屋外をとわず適用可能であり、例えば、旅行先の室内やキャンプにおけるテント内での衛生害虫や不快害虫の防除に非常に役立つ。
更に、目的に応じて、各種の異なる薬剤含浸体を含む異なるカートリッジを取り替えて使用することができるので、一つの薬剤揮散用器具で多種類の有害虫に対応することができ、適用範囲が広い。
遠心力に基づく具体的な効果は、以下のとおりである。
１）粒状若しくは略粒状の薬剤含浸体は、予めカートリッジ内に好適な状態（例えば、最密充填に近い状態）で充填されているが、個々の粒は固定されていないので、カートリッジに衝撃が加わったりカートリッジを動かした場合には、個々の粒が動くので前記薬剤含浸体の充填状態が変化する。しかし、使用に際して前記薬剤含浸体に遠心力が作用すると、遠心力によって粒状物が所定方向に押圧され、初期の好適な充填状態又はそれに近い充填状態が自動的に再現される。
２）カートリッジへの遠心力の作用を解除すると、カートリッジ内の個々の粒状若しくは略粒状の薬剤含浸体はある程度自由に動き得る状態となり、回転又は移動によりその位置を変化させる。つまり、カートリッジへの遠心力の作用及び解除に伴って、粒状の薬剤含浸体は個々が動き、全体として攪拌される場合と同様の効果を奏する。
３）粒状若しくは略粒状の薬剤含浸体に遠心力を作用させると、前記薬剤含浸体がある程度の柔軟性を有する場合には、前記薬剤含浸体は押圧されて収縮し、遠心力の付与を解除すると前記薬剤含浸体は膨張してもとの大きさに戻る。それ故、カートリッジの回転（使用）及びカートリッジの回転停止（不使用）の繰り返しにて前記薬剤含浸体は収縮と膨張を繰り返すこととなり、このポンプ作用により前記薬剤含浸体内部の薬剤も表面に押し出され、その結果、薬剤が有効に利用される。
４）粒状若しくは略粒状の薬剤含浸体があまり柔軟性を有しない場合でも、前記薬剤含浸体に遠心力を作用させると、前記薬剤含浸体の内部の薬剤が遠心力により表面に押し出され、且つ遠心力を作用させる際に生じる風力によって搬送されるので、薬剤含浸体の内部の薬剤を有効に利用することができる。
【発明を実施するための最良の形態】
【０００８】
本発明の薬剤揮散用器具においては、カートリッジに対する回転機構を設け、当該回転に基づいて遠心力をカートリッジ中に収納した薬剤含浸体に対して作用させることを基本的要件としているが、当該遠心力の大きさは、カートリッジ及び薬剤含浸体の大きさや形状、薬剤の種類や揮散量等の諸条件を考慮して適宜選択する。例えば、遠心力の大きさは、重力加速度（９．８×１０２ｃｍ／ｓ２）の１／１０００〜１００倍、具体的には９．８×１０-１ｃｍ／ｓ２ 〜９．８×１０４ｃｍ／ｓ２であってよい。
前記薬剤含浸体は、前記カートリッジ内に空隙率２０％〜７０％、好ましくは２５％〜６５％、特に好ましくは３０％〜６０％で充填するとよい。空隙率が２０％未満の場合には空気流の流れが悪くなるので、充分な薬剤揮散量を確保できず、反対に空隙率が７０％を超える場合には、空気流が薬剤含浸体と接触する時間が短くなるので、充分な薬剤揮散量を確保できない。それ故、前記範囲内で、空隙率を好適に選択する。
薬剤含浸体を収納したカートリッジを回転させることにより、前記薬剤含浸体に遠心力が作用し、且つこの際に生じる風力を利用することができる。前記カートリッジに対する回転機構の駆動源として、モーターを採用するのが通例である。
前記モーターは、交流電源又は乾電池のいずれでも駆動できるのが好ましく、例えば、電圧１．５Ｖの乾電池１個で、１００〜２０００ｒｐｍの回転数を３００時間以上持続可能なものが適している。
【０００９】
前記カートリッジの空気流出側及び／又は空気流入側にシロッコファンを装着すると、前記薬剤含浸体に遠心力が作用するとともに、前記薬剤含浸体にシロッコファンにより生じた風（シロッコファンから流出する空気流及び／又はシロッコファンに流入する空気流）があたるので、薬剤の揮散効率を高めることができる。前記カートリッジは、シロッコファンの空気流出側のみに又は空気流入側のみに装着してもよいし、或いは、シロッコファンの空気流出側及び空気流入側の双方に装着してもよい。シロッコファンに装着するカートリッジの数は１個以上であればよく、例えば、複数のカートリッジをシロッコファンの空気流出側又は空気流入側に適宜配分して装着することができる。この場合、前記複数のカートリッジは、同一又は異なる薬剤を含浸させた薬剤含浸体を収納したものであって
よい。
【００１０】
本発明の薬剤揮散用器具においては、粒状もしくは粒状の薬剤含浸体を側面に通気部を有するカートリッジに収納することを要件としているが、当該薬剤としては、１時間当たりの揮散量を０．０１〜０．５ｍｇに調整することができ、且つこの薬量で十分な殺虫効力を奏し得る揮散性ピレスロイド系殺虫剤を選択することが好ましい。このような薬剤としては、例えば、一般式（Ｉ）：
【化１】
2004222725.tif 000003
（式中、Ｘ及びＹは同一又は相異なって水素原子、メチル基、ハロゲン原子又はトリフルオロメチル基を表し、Ｚは水素原子、フッ素原子、メチル基、メトキシメチル基又はプロパルギル基を表す）で表されるフッ素置換ベンジルアルコールエステル化合物を例示することができる。
【００１１】
一般式（Ｉ）で表される化合物の具体例としては、２，３，５，６−テトラフルオロベンジル−クリサンテマート（以降、化合物Ａと称す）、２，３，５，６−テトラフルオロベンジル−２，２−ジメチルー３−（１−プロペニル）シクロプロパンカルボキシレート（以降、化合物Ｂと称す）、２，３，５，６−テトラフルオロベンジル−２，２−ジメチル−３−（２，２−ジクロロビニル）シクロプロパンカルボキシレート（以降、化合物Ｃと称す）、４−メチル−２，３，５，６−テトラフルオロベンジル−クリサンテマート（以降、化合物Ｄと称す）、４−メチル−２，３，５，６−テトラフルオロベンジル−２，２−ジメチル−３−（１−プロペニル）シクロプロパンカルボキシレート（以降、化合物Ｅと称す）、４−メチル−２，３，５，６−テトラフルオロベンジル−２，２−ジメチル
−３−（２，２−ジフルオロビニル）シクロプロパンカルボキシレート（以降、化合物Ｆと称す）、４−メトキシメチル−２，３，５，６−テトラフルオロベンジル−クリサンテマート（以降、化合物Ｇと称す）、４−メトキシメチル−２，３，５，６−テトラフルオロベンジル−２，２−ジメチル−３−（１−プロペニル）シクロプロパンカルボキシレート（以降、化合物Ｈと称す）、２，３，４，５，６−ペンタフルオロベンジル−２，２−ジメチルー３−（２−クロロー２−トリフルオロメチルビニル）シクロプロパンカルボキシレート（以降、化合物Ｉと称す）又は４−プロパルギル−２，３，５，６−テトラフルオロベンジル−３−（１−プロペニル）−２，２−ジメチルシクロプロパンカルボキシレート（以降、化合物Ｊと称す）を挙げることができる。また、一般式（Ｉ）以外の化合物
として、４−メトキシメチル−２，３，５，６−テトラフルオロベンジル−２，２，３，３−テトラメチルシクロプロパンカルボキシレート（化合物Ｋ）及び４−プロパルギル−２，３，５，６−テトラフルオロベンジル−２，２，３，３−テトラメチルシクロプロパンカルボキシレート（化合物Ｌ）も例示することができる。これらの化合物（薬剤）は一種類を使用してもよいし、又は二種類以上の化合物（薬剤）を組み合わせて使用してもよい。
なお、一般式（Ｉ）で表される化合物には、その酸部の不斉炭素や二重結合に基づく光学異性体や幾何異性体が存在するが、これらの各々やそれらの任意の混合物の使用も本発明に含まれるのは勿論である。
【００１２】
加熱蒸散用殺虫剤の有効成分として使用されるアレスリンやプラレトリンは本発明の使用条件では揮散性に乏しく、一方、ピレスロイド系殺虫剤のなかで最も蒸気圧の高いエムペントリンは、殺虫効力の点から１時間当たり２ｍｇ以上の揮散量を必要とするため好ましくない。それ故、本発明の薬剤揮散用器具においては、常温で好適な揮散性を有する前述のような化合物を使用する。
【００１３】
本発明の薬剤揮散用器具にて使用される薬剤含浸体の材質としては、例えば紙、パルプ、ビスコース等のセルロース系担体、エチレン−酢酸ビニール系樹脂、オレフィンボリマー等の合成樹脂担体、ケイ酸カルシウム等の無機質担体等が挙げられるが、なかでも天然由来の紙、パルプ、セルロース系担体が好ましい。これらは粒状若しくは略粒状で、その平均外径が例えば３ｍｍ〜１０ｍｍとなるように成形することが好ましい。薬剤含浸体のこのような形状及び大きさを採用することによって、薬剤含浸体内部の前記ピレスロイド系殺虫剤が徐々に表面に移行し、長期間にわたり安定した揮散量を保持することが可能となる。これに対し、例えば平均外径が３ｍｍより小さいと、薬剤の揮散がすみやかで殺虫効力の持続性に問題を生じる場合がある。
【００１４】
前記粒状若しくは略粒状の薬剤含浸体の具体的な形状は、例えば球状、楕円体状、卵状、円柱状、角柱状、棒状、円板状、角板状、不定形状、等の種々の形状であってよく、またその大きさは種々の大きさであってよい。更に種々の材質の薬剤含浸体を組み合わせて使用してもよい。
薬剤含浸体をカートリッジに収納する場合、特定の大きさ、形状及び材質の薬剤含浸体をカートリッジに収納してもよいし、又は、大きさ、形状及び材質が異なる多種類の薬剤含浸体を好適な比率で混合して、カートリッジに収納してもよい。
【００１５】
薬剤含浸体に関して、その大きさ、形状、材質、及び数が異なる多種類の薬剤含浸体を組み合わせて使用することに加えて、含浸された薬剤の種類が異なる多種類の薬剤含浸体を組み合わせて使用してもよい。また、大きさ、形状、材質、、数及び含浸された薬剤の種類が異なる多種類の薬剤含浸体を混合するなど、複合的に使用することもできる。
それ故、このような薬剤含浸体を収納した極めて多種類の取り替え可能なカートリッジを得ることができ、用途に応じて、これらのカートリッジを適宜組み合わせて使用するとよい。
例えば、前記シロッコファンの空気流出側に装着するには、前記カートリッジの形状が環状であるものが好ましく、前記シロッコファンの空気流入側に装着するには、前記カートリッジの形状が円板状であるものが好ましい。
【００１６】
本発明では、前記薬剤含浸体に前述の薬剤を全体で１００ｍｇ以上含浸させることが好ましい。薬剤の含浸量が１００ｍｇより少ないと、殺虫効力の持続性に不足が生じる場合がある。薬剤の含浸に際しては、必要に応じ溶剤、希釈剤、界面活性剤、分散剤、徐放化剤等を用い、また従来から知られている各種含浸手段を採用することができる。更に、前記薬剤含浸体に安定剤、香料、着色剤、帯電防止剤等を適宜配合してもよく、また薬剤組成物に、揮散性能に支障を来さない限りにおいて、揮散性の高い他の殺虫、忌避成分（例えばヒノキチオール、カルボン、サフロール、シトロネロール、ケイ皮アルデヒド等の防虫香料等）、殺ダニ剤、殺菌剤、消臭剤等を添加して多目的薬剤組成物とすることもできる。
また、薬剤含浸体に使用の終点を示すインジケーター機能（例えば変色機能）を付与すれば一層便利である。
【００１７】
本発明で使用するカートリッジに通気部を設ける構成としては、例えば開口スリットを多数並設する構成や、並設したホルダーにネットを固定して構成する場合があるがこれらに限定されるものではない。但し、薬剤の凝縮が揮散性能に影響を及ぼさないよう充分な通気性を確保すると同時に、薬剤含浸体の散逸を防止するために、開口スリットの場合、開口スリット幅を１ｍｍ以上で且つ薬剤含浸体の平均外径の０．７倍以下とするのが好ましい。総開口スリット面積のカートリッジ側面面積に対する開口比率は、例えば０．１〜０．５に設定する構成が好ましく、一方ネットの場合、線間距離は、例えば１ｍｍ以上で且つ薬剤含浸体の平均外径の０．７倍以下に設定する構成が好ましい。
【００１８】
前記カートリッジの形状や大きさは、薬剤含浸体収納部の構造を考慮して任意に決定することができる。前述の如く、カートリッジをシロッコファンの空気流出側及び／又は空気流入側に装着する構成が好ましいが、これ以外のものであっても勿論よい。
シロッコファンを用いるもの以外のものとしては、例えば、通常外径が３〜６ｃｍ、高さが２〜５ｃｍ程度の円筒状のカートリッジが使いやすいが、例えば、カートリッジの中心軸部分を中空状となし、この中空部分を本体の回転軸に嵌め込むような形状にすれば、カートリッジを薬剤揮散用器具本体に装填しやすく便利である。この他、カートリッジの形状は略円錐状であったり、回転軸が横方向に設けられた装置に装填されるタイプであってもよい。
【００１９】
前記カートリッジの周囲には、スリット状、メッシュ状等の保護カバーを装着し、指等が回転するカートリッジに触れないような構成にするとよい。前記カートリッジを収納する薬剤揮散用器具の一部に前記保護カバーの機能を持たせてもよい。また、使用前に、カートリッジに収納した薬剤含浸体から薬剤が揮散することを防止するため、カートリッジの通気部には遮蔽部材（例えば、シールテープなど）を貼付することが好ましい。前記遮蔽部材は、使用直前に剥離するとよい。前記シールテープとして粘着テープを用いると、簡単に剥離することができるので便利である。なお、前記カートリッジのスリットバーや保護カバーのスリットバー部分は、風どおしを良くするためにブレード状に好適なひねりの角度をつけてもよい。
【００２０】
前記粒状若しくは略粒状の薬剤含浸体の平均外径が３ｍｍ〜１０ｍｍであり、且つ前記薬剤含浸体が、前記カートリッジ内に空隙率２０％〜７０％で充填されているカートリッジは、使用しやすく、且つ長期間にわたりほぼ一定量の薬剤を安定して揮散することができ、実用上特に好ましい。
前記粒状若しくは略粒状の薬剤含浸体の材質は特に限定されないが、例えば、紙、パルプ、セルロース系担体及び合成樹脂担体から選択された少なくとも一種からなる材料（単一の材料又はこれらを組み合わせた材料）は、前記粒状若しくは略粒状の薬剤含浸体を構成する材料として好ましい。
【実施例】
【００２１】
以下の実施例及び試験例により本発明を更に具体的に説明するが、前記実施例及び試験例は単に説明のためのみのものであり、本発明はこれらに限定されるものではない。
【００２２】
実施例１〜２：
以下に、粒状若しくは略粒状の薬剤含浸体を収納したカートリッジを、シロッコファンの空気流出側及び／又は空気流入側に装着する場合の例を示す。
Ａ）シロッコファン
図４に、シロッコファンの一例の概略構成図を示す。図４（ａ）は上面図、図４（ｂ）は図４（ａ）をＡ−Ａ線に沿って切断した側部断面図、図４（ｃ）は下面図である。シロッコファン１２は、例えばプラスチック製の円筒の内周に沿って一定間隔で内側に突出した翼部１３（少し湾曲している）が設けられており、各翼部１３の間には開口スリット４（図示せず）が設けられた構成を有する。シロッコファン１２の中央部には、４個の腕部１４によって支持されたモーター装着部１５が設けられている。モーターによりシロッコファン１２を回転させると、翼部１３により生じた風力により、シロッコファン１２の上面側から流入した空気は開口スリット４を通過して流出する。
Ｂ）カートリッジの調製（実施例１）
シロッコファン１２の空気流入側に装着するカートリッジの一例を示す。化合物Ａ（２，３，５，６−テトラフルオロベンジル−クリサンテマート）２００ｍｇを、平均外径が約６ｍｍの粒状発泡セルロースビーズ〔商品名：ビスコパール（レンゴー株式会社製）〕３ｇに含浸させて得られた薬剤含浸体１を、外径３ｃｍ、高さ１ｃｍの円板状カートリッジ２の薬剤含浸体収納部３に収納した。円板状カートリッジ２の内部容積は４０ｃｍ3 であり、空隙率（薬剤含浸体が充填されずに空隙として残っている内部容積の比率，％）は５０％である。なお、円板状カートリッジ２は、その側面に高さ方向ほぼ全長に幅２ｍｍの開口スリット４（図示せず）を３ｍｍおき（ピッチ間隔）に備えている。
図２に、実施例１の円板状カートリッジ２をシロッコファン１２の空気流入側に装着した状態の側部断面図を示す。円板状カートリッジ２の中心部及びその近傍は円板状カートリッジ２の回転に際して遠心力が作用しないか又はほとんど作用しないため、薬剤含浸体１を収納せず、空隙として残す。
図３に、薬剤含浸体１を収納しない状態の実施例１の円板状カートリッジ２を示す。図３（ａ）は円板状カートリッジ２の上面図、図３（ｂ）は、図３（ａ）をＡ−Ａ線に沿って切断した場合の円板状カートリッジ２の側部断面図である。図３（ａ）に示される如く、円板状カートリッジ２の上面には、楔形や矩形などの開口スリット４が多数設けられている。
図２に示す如く、実施例１の円板状カートリッジ２をシロッコファン１２の空気流入側に取り付けるためには、円板状カートリッジ２をシロッコファン１２の空気流入側に保持するための保持部（例えば、蓋部）が必要となる。図５に、この蓋部の一例を示す。図５（ａ）は蓋部１６の上面図、図５（ｂ）は蓋部１６の側面図、図５（ｃ）は蓋部１６を実施例１の円板状カートリッジ２に装着した状態を示す側部断面図である。蓋部１６にも、円板状カートリッジ２の上面と同様に、楔形や矩形などの開口スリット４が多数設けられている。
Ｃ）薬剤揮散用器具１
図１に、実施例１の円板状カートリッジ２を装着したシロッコファン１２を備えた薬剤揮散用器具の一例を示す。図１（ａ）は薬剤揮散用器具の上面図、図１（ｂ）は前記薬剤揮散用器具の側部断面図、図１（ｃ）は前記薬剤揮散用器具の下面図である。この薬剤揮散用器具は全体が小型で且つ軽量であり、容易に持ち運ぶことができる。また、乾電池８にて作動するので、野外で、例えばテント内で使用することもできる。
Ｄ）カートリッジの調製（実施例２）
シロッコファン１２の空気流出側に装着するカートリッジの一例を示す。化合物Ｂ〔２，３，５，６−テトラフルオロベンジル−２，２−ジメチル−３−（１−プロペニル）シクロプロパンカルボキシレート〕４００ｍｇを、平均外径が約３ｍｍのパルプ３ｇに含浸させて得られた薬剤含浸体１を、外径６．５ｃｍ、内径４ｃｍ、高さ２ｃｍの環状カートリッジ２の薬剤含浸体収納部３に収納した。環状カートリッジ２の内部容積は４０ｃｍ3 であり、空隙率は２０％である。なお、環状カートリッジ２は、その側面に高さ方向ほぼ全長に幅２ｍｍの開口スリット４（図示せず）を３ｍｍおきに備えている。
図６に、実施例２の環状カートリッジ２をシロッコファン１２の空気流出側に装着し、更にシロッコファン１２にモーター９を装着する状態を示す。
Ｅ）薬剤揮散用器具２
図７に、実施例２の環状カートリッジ２を装着したシロッコファン１２を備えた薬剤揮散用器具の一例を示す。図７（ａ）は薬剤揮散用器具の上面図、図７（ｂ）は前記薬剤揮散用器具の側部断面図、図７（ｃ）は前記薬剤揮散用器具の下面図である。環状カートリッジ２はシロッコファン１２の空気流出側（外周部）に装着されるため、シロッコファン１２の回転に伴う遠心力及び風力が有効に作用し、薬剤の揮散効率が非常に良い。
【００２３】
試験例１：（実施例３〜１２）
前記実施例１，２の薬剤含浸体に加えて、実施例２に準じ、下記表１に示す各種薬剤含浸体（実施例３〜１２）を調製した。これを実施例２と同じカートリッジ（図６のカートリッジ）に収納し、前記カートリッジを図７の薬剤揮散用器具に装着して、１日１２時間使用する条件下で、１日目、１５日目及び３０日目に、薬剤揮散量測定と下記の試験方法（連続通気法）による殺虫効力試験を行った。その結果を併せて下記表１に示す。
なお、殺虫効力は、ｄｌ，ｄ−シス，トランス−アレスリン（ピナミンフォルテ）を含有する蚊取マットを発熱体放熱板温度１６０℃の条件で蒸散させた時の初期仰転効果を１．００として相対有効比で示した。
【００２４】
試験方法（連続通気法）
内径２０ｃｍ、高さ４３ｃｍのプラスチック製円筒を２段に重ね、その上に１６メッシュの金網で上下に仕切った内径及び高さが共に２０ｃｍの円筒（供試蚊を入れる場所）を載せ、さらに内径２０ｃｍ、高さ２０ｃｍの円筒を載せる。この４段重ねの円筒を台に載せ、台の中央（最下段の円筒の中）に薬剤揮散用器具を置いて薬剤含浸体中の殺虫成分を揮散させる。そして、上から２段目の円筒に供試蚊約２０匹を放ち、時間の経過に伴う該供試蚊の仰転数を観察する。暴露２０分後に全供試蚊を清潔なポリエチレン容器に移し、３％砂糖水を与え、保存２４時間後に死虫率を調べる。
【００２５】
【表１】
2004222725.tif 000004
表１に示すとおり、本発明の薬剤揮散用器具によれば、薬剤の揮散量は３０日間の長期間にわたり安定し、この間高い殺虫効力を保持することが認められた。すなわち、実施例１のタイプのカートリッジを備えた図１の薬剤揮散用器具、特に実施例２のタイプのカートリッジを備えた図７の薬剤揮散用器具を使用すると、揮散量の経時変化がほとんどなく、３０日間にわたって、殺虫効果はほぼ一定であり、優れた経時的安定性を有することが判る。
【００２６】
実施例１３：
以下、図８，図９に基づいて実施例１３を説明する。化合物Ａ（２，３，５，６−テトラフルオロベンジル−クリサンテマート）２００ｍｇを、平均外径が約６ｍｍの粒状発泡セルロースビーズ〔商品名：ビスコパール（レンゴー株式会社製）〕３ｇに含浸させて得られた薬剤含浸体１（図９参照）を、図８（ｂ）に示す外径５ｃｍ、高さ３ｃｍの円筒状カートリッジ２の薬剤含浸体収納部３（図９参照）に収納した。なお、カートリッジ２は、その側面に高さ方向ほぼ全長に幅３ｍｍの開口スリット４を３ｍｍおきに備え、外周面から内方１ｃｍ幅の外筒部が薬剤含浸体収納部３となっている。このカートリッジ２を、図８（ｃ）に示す薬剤揮散用器具の回転機構部５の回転軸部６に嵌め込み（図９参照）、更に図８（ａ）に示す保護カバー７を装着した後、単一乾電池８を用いてモーター９を５００ｒｐｍで回転させた。この薬剤揮散用器具を６畳の部屋の中央に置いて使用したところ、１日１２時間あたりの薬剤揮散量（約４ｍｇ）がほとんど変化することなく安定して推移し、３０日間にわたり蚊の防除に有効であった。なお、使用中、回転音が気になることはなく、また回転するカートリッジに誤って触れる恐れもないことから、使用性についても満足のいくものであった。
【００２７】
実施例１４：
以下、図１０，図１１に基づいて実施例１４を説明する。化合物Ｈ（４−メトキシメチル−２，３，５，６−テトラフルオロベンジル−２，２−ジメチル−３−（１−プロペニル）シクロプロパンカルボキシレート）３００ｍｇと、安定剤ジブチルヒドロキシトルエン（ＢＨＴ）２０ｍｇを、パルプ製で平均外径が約３ｍｍの略粒状ビーズ４ｇに含浸させて薬剤含浸体１を得た。図１０に示すように、外径３ｃｍ、高さ５ｃｍの円筒状で、その側面を１０本の並設ホルダー１０と線間距離２ｍｍのネット１１で構成したカートリッジ２に薬剤含浸体１を収納し、このカートリッジ２を図１１の薬剤揮散用器具の回転機構部５に装填した。薬剤揮散用器具本体５には、図１１（ａ）に示すように、カートリッジ２の外側に相当する部分に薬剤を揮散させるための開口部が設けられており、前記薬剤揮散用器具の回転機構部５の開口部は、カートリッジ２に対する保護カバーの機能も有する。なお、図１１の薬剤揮散用器具は、図１１（ｂ）に示すように回転軸が横方向に備設されたものであり、図１１（ａ）が斜視図を示し、図１１（ｂ）が側部断面図を示す。この薬
剤揮散用器具は、部屋のインテリアにもマッチし、１日１２時間の使用で３０日間にわたり充分な蚊防除効果を示した。
【００２８】
試験例２：（実施例１５〜２１）
前記実施例１３，１４の薬剤含浸体に加えて、実施例１３に準じ、下記表２に示す各種薬剤含浸体（実施例１５〜２１）を調製した。これを実施例１３と同じ薬剤揮散用器具（図８、図９の薬剤揮散用器具）に装填して、１日１２時間使用する条件下で、１日目、１５日目及び３０日目に、薬剤揮散量測定と前述の試験方法（連続通気法）による殺虫効力試験を行った。その結果を併せて下記表２に示す。
【００２９】
【表２】
2004222725.tif 000005
【００３０】
表１の結果と表２の結果とを比較すると明らかな如く、カートリッジを、シロッコファンの空気流出側及び／又は空気流入側、特に空気流出側に装着する場合が特に優れた経時的安定性を有することが判る。
【産業上の利用可能性】
【００３１】
本発明は、屋外、屋内における広範害虫駆除を目的として利用することが可能である。
【図面の簡単な説明】
【００３２】
【図１】実施例１のカートリッジを装着したシロッコファンを備えた薬剤揮散用器具の一例を示す図である。
【図２】実施例１のカートリッジをシロッコファンの空気流入側に装着した状態を示す側部断面図である。
【図３】薬剤含浸体を収納しない状態の実施例１のカートリッジを示す図である。
【図４】本発明の薬剤揮散用器具で使用するシロッコファンの一例の概略構成図である。
【図５】実施例１のカートリッジをシロッコファンに取り付ける際に使用する蓋部、及び実施例１のカートリッジに前記蓋部を装着した状態を示す図である。
【図６】実施例２のカートリッジをシロッコファンの空気流出側に装着し、更にシロッコファンにモーターを装着する状態を示す図である。
【図７】実施例２のカートリッジを装着したシロッコファンを備えた薬剤揮散用器具の一例を示す図である。
【図８】実施例１３のカートリッジを備えた薬剤揮散用器具の一例を示す斜視図である。
【図９】図８の薬剤揮散用器具の側部断面図である。
【図１０】実施例１４のカートリッジを示す斜視図である。
【図１１】実施例１４のカートリッジを備えた薬剤揮散用器具の一例を示す斜視図である。
【符号の説明】
【００３３】
１：薬剤含浸体、２：カートリッジ、３：薬剤含浸体収納部、４：開口スリット、５：薬剤揮散用器具の回転機構部、６：回転軸部、７：保護カバー、８：乾電池、９：モーター１０：ホルダー、１１：ネット、１２：シロッコファン、１３：翼部、１４：腕部、１５：モーター装着部、１６：蓋部
【図１】
2004222725.tif 000006
【図２】
2004222725.tif 000007
【図３】
2004222725.tif 000008
【図４】
2004222725.tif 000009
【図５】
2004222725.tif 000010
【図６】
2004222725.tif 000011
【図７】
2004222725.tif 000012
【図８】
2004222725.tif 000013
【図９】
2004222725.tif 000014
【図１０】
2004222725.tif 000015
【図１１】
2004222725.tif 000016